(57)【要約】【課題】取扱いやすく簡単かつ正確に木拾い作業を行うのに役立つ木拾い支援用具を提供すること。【解決手段】木造住宅の建築に使用される横架材と縦材とを模擬的に表しかつ同一割合で縮小された模擬横架材１０および模擬縦材２０と、模擬横架材（１０，１０）同志を直角に接続する第１の接続部材３０と、模横架材（１０，１０）同志を同一軸線上に接続する第２の接続部材４０と、模擬縦材（２０，２０）同志を同一軸線上に接続する第３の接続部材（４０）と、模擬横架材１０と模擬縦材２０とを直角に接続する第４の接続部材５０と、を備えた。また、模擬横架材１０および／または模擬縦材２０を所定寸法とし、かつ、任意の箇所で切断可能に形成した。【選択図】　　　　図１
2004117914.tif 000002
【特許請求の範囲】
【請求項１】
木造住宅の建築に使用される横架材と縦材とを模擬的に表しかつ同一割合で縮小された模擬横架材および模擬縦材と、模擬横架材同志を直角に接続する第１の接続部材と、模擬横架材同志を同一軸線上に接続する第２の接続部材と、模擬縦材同志を同一軸線上に接続する第３の接続部材と、模擬横架材と模擬縦材とを直角に接続する第４の接続部材と、を備えたことを特徴とする木拾い支援用具。
【請求項２】
前記模擬横架材および／または前記模擬縦材が所定寸法とされかつ任意の箇所で切断可能に形成された請求項１記載の木拾い支援用具。
【請求項３】
【発明の詳細な説明】
【０００１】
【発明の属する技術分野】
本発明は、木造住宅を建築する際の木拾いに用いるのに好適な木拾い支援用具に関する。
【０００２】
【従来の技術】
木拾いとは、１軒の木造住宅を建てるのに必要な木材の内訳明細を、図面等をもとに拾い出す作業である。この木拾いは、木造住宅の数量算出の中心となるものであるが、習熟しないと難しく、また習熟しても時間が掛かり面倒な仕事といわれている。
【０００３】
木拾いの仕方としては、例えば大工工務店で施工住宅の平面図・各伏図（土台伏せ、１階２階伏せ、小屋伏せ）を作成し、これら図面に基き、使用する木材の数量を算出するのが一般的である。
【０００４】
しかし現今では、大工工務店の深刻な人手不足もあって、大工工務店で木拾いをすることはほとんどなく、プレカット工場に木拾いを一任するのが一般的である。そして、プレカット工場との打合せも１回目は面談しても、２回目以降は電話やファクシミリなどを利用して、木拾い作業を行うことが多いのが現状である。
【０００５】
【発明が解決しようとする課題】
ところで、上記した木拾いでは、大工工務店とプレカット工場との間で十分な意思の疎通が図られずに間違いや勘違いが生じ、木材の正確な数量算出ができない事態を招くことがある。
【０００６】
最近、木拾い作業を支援するコンピュータソフトも、各社から販売されるようになってきている。しかし、これらのソフトは、（イ）高価であり購入しにくい、（ロ）操作上の決め事が非常に多く習熟するのに時間が掛かる、（ハ）入力に手間が掛かる、などの欠点を有しており、広く普及していない。
【０００７】
本発明の目的は、取扱いやすく簡単かつ正確に木拾い作業を行うのに役立つ木拾い支援用具を提供することにある。
【０００８】
【課題を解決するための手段】
上記目的を達成するために、請求項１の発明は、木造住宅の建築に使用される横架材と縦材とを模擬的に表しかつ同一割合で縮小された模擬横架材および模擬縦材と、模擬横架材同志を直角に接続する第１の接続部材と、模擬横架材同志を同一軸線上に接続する第２の接続部材と、模擬縦材同志を同一軸線上に接続する第３の接続部材と、模擬横架材と模擬縦材とを直角に接続する第４の接続部材と、を備えたものである。
【０００９】
上記請求項１の発明の場合、施工する木造住宅の平面図・各伏図（土台伏せ、１階２階伏せ、小屋伏せ）に基き、模擬横架材同志、模擬縦材同志および模擬横架材と模擬縦材とを接続して、住宅のミニチュアの木材骨組を完成すれば、木拾いに不慣れな者であっても木材の数量算出を簡単にかつ正確に行える。
【００１０】
また、上記した立体的なミニチュアの木造骨組を利用することにより、構造に関する寸法の確認も正確に行える。また、設計士との打合せも、上記した立体形状のミニチュア骨組模型を見ながら行えるので、一度の確認で済ますことができる。また、平面図だけではわかりにくい逃げの確認や１階と２階の柱の位置の確認も容易に行える。また、外壁と内壁の平米数（面積）の確認も容易に行える。さらに、真上から写真撮影し、それをコピーすれば、大工工務店の手板として利用できる。
【００１１】
請求項２の発明は、前記模擬横架材および／または前記模擬縦材が所定寸法とされかつ任意の箇所で切断可能に形成されたものである。
【００１２】
上記請求項２の発明の場合、少品種生産となるので、模擬横架材・模擬縦材の製造が一段と容易となる。また、保管管理が一段と容易となる。また、本用具を使用する者にとっても一段と使い勝手がよくなる。
【００１３】
【発明の実施の形態】
以下、本発明の実施形態を図面を参照して説明する。
【００１４】
本発明に係る木拾い支援用具は、図１に示すように、模擬横架材１０、模擬縦材２０および第１〜第４の接続部材（３０，４０，５０）を備え、木造住宅の平面図（Ｆ）に基き立体的なミニチュアの木材骨組（Ｇ）を完成して、木材の数量算出を支援可能に構成されている。本木拾い支援用具は、大工、工務店、建築設計事務所、プレカット工場等で使用可能である。
【００１５】
具体的には、模擬横架材１０および模擬縦材２０は、木造住宅の建築に使用される横架材と縦材とを模擬的に表しており、同一割合で縮小されたものである。ここで、横架材とは、土台、梁、桁、母屋等である。また、縦材とは、柱や束等である。
【００１６】
この実施形態では、両材（１０，２０）は、縮尺が１／１０とされている。そして、模擬横架材１０および／または模擬縦材２０は、断面形状および長さが定寸法とされており、任意の箇所で金のこ等を用いて切断可能とされている。この実施形態では、両材（１０，２０）はアルミニウム製またはプラスチック製とされている。
【００１７】
また、上記模擬横架材１０の上側面および下側面には、図２に示すように、それぞれ第１の凹条部１１と第２の凹条部１２とが形成されている。この模擬横架材１０の第１の凹条部１１は、模擬横架材（１０，１０）同志を直角に接続する第１の接続部材３０を装着可能に形成されている。また、模擬横架材１０の第２の凹条部１２は、模擬横架材１０と模擬縦材２０とを直角に接続する第４の接続部材５０を装着可能に形成されている。上記した模擬横架材１０の各凹条部（１１，１２）は、それぞれ対象とする接続部材（１０，２０）を任意の箇所で装着可能である。さらに、模擬横架材１０の両端面には、横断面円形状の穴１３が形成されている。
【００１８】
次に、模擬縦材２０の各側面には、図３に示すように、それぞれ凹条部２１が形成されている。この模擬横架材２０の凹条部２１は、模擬横架材１０と模擬縦材２０とを接続する第４の接続部材５０を装着可能に形成されている。また、模擬縦材１０の両端面には、横断面円形状の穴２３が形成されている。
【００１９】
次に、第１の接続部材３０は、模擬横架材（１０，１０）同志を直角に接続する役目を果たすものであり、図４（Ａ），（Ｂ）に示すように、本体３３と、この本体３３と一体に設けられた引っ掛け部３２および接続用凸部３１とを有している。この第１の接続部材３０の引っ掛け部３２は、模擬横架材１０の第１の凹条部１１に嵌挿可能かつ脱離可能に形成されている。
【００２０】
また、第２の接続部材４０は、模擬横架材（１０，１０）同志を同一軸線上に接続する役目を果たすものであり、図６（Ａ），（Ｂ）に示すように、本体４３の両側面中央部に接続用凸部４１が形成されている。この第２の接続部材４０の接続用凸部４１は、模擬横架材１０の端面の穴１３に嵌挿可能かつ脱離可能に形成されている。
【００２１】
また、第３の接続部材は、模擬縦材（２０，２０）同志を同一軸線上に接続する役目を果たすものである。この実施形態では、第３の接続部材は、上記した第２の接続部材４０〔図６（Ａ），（Ｂ）〕をそのまま利用するものとされている。すなわち、第２の接続部材４０の凸部４１は、模擬縦材２０の端面の穴２３にも嵌挿可能かつ脱離可能に形成されている。
【００２２】
また、第４の接続部材５０は、模擬縦材２０と模擬横架材１０とを直角に接続する役目を果たすものである。この第３の接続部材５０は、図５（Ａ），（Ｂ）に示すように、本体５３の上面中央部に横断面円形状の第１凸部５１が形成されているとともに、その本体５３下面に短冊板状の第２凸部５２が形成されている。この第４の接続部材５０の第１凸部５１は、模擬縦材２０の端面の穴２３に嵌挿可能かつ脱離可能に形成されている。また、第４接続部材５０の第２凸部５２は、模擬横架材１０の第２の凹条部１２に嵌挿可能かつ脱離可能に形成されている。
【００２３】
上記構成の木拾い支援用具では、例えば図８に参考に示す木造住宅の平面図（Ｆ）に基き、模擬横架材（１０，１０）同志、模擬縦材（２０，２０）同志および模擬横架材１０と模擬縦材２０とを、各接続部材（３０，４０，５０）を用いて接続して、例えば図７（Ａ），（Ｂ），（Ｃ）に示すように、実物の１／１０の木材骨組（Ｇ）を完成すれば、木拾いに不慣れな者であっても木材の数量算出を簡単にかつ正確に行える。
【００２４】
また、上記した立体的なミニチュアの木造骨組（Ｇ）を利用することによって、構造に関する寸法の確認も正確に行える。また、設計士との打合せも、上記した立体形状のミニチュア木造骨組（Ｇ）を見ながら行えるので、一度の確認で済ますことができる。また、平面図（Ｆ）だけではわかりにくい逃げの確認や１階と２回の柱の位置の確認も容易に行える。また、外壁と内壁の平米数（面積）の確認も容易に行える。また、真上から写真撮影し、それをコピーすれば、大工工務店の手板として利用できる。
【００２５】
さらに、第１〜第４の接続部材（３０，４０，５０）は、模擬横架材１０および模擬縦材２０から分離可能とされているので、着拾い作業を終えた後は上記木材骨組（Ｇ）を分解して、これら部材を何回でも使用でき経済的である。
【００２６】
さらにまた、本木拾い支援用具では、模擬横架材１０および模擬縦材２０が所定寸法とされかつ任意の箇所で切断可能に形成されているので、少品種生産となり製造が一段と容易となる。また、保管管理が一段と容易となる。また、本用具を使用する者にとっても一段と使い勝手がよくなる。
【００２７】
【発明の効果】
請求項１の発明によれば、模擬横架材、模擬縦材および第１〜第４の接続部材を備え、木造住宅の平面図に基き立体的なミニチュアの木材骨組を完成して、木材の数量算出を支援可能に構成されているので、以下の顕著な効果を奏する。
【００２８】
（イ）木拾いに不慣れな者であっても木材の数量算出を簡単にかつ正確に行える。（ロ）また、構造に関する寸法の確認も正確に行える。（ハ）また、設計士との打合せも、上記した立体形状のミニチュア骨組模型を見ながら行えるので、一度の確認で済ますことができる。（ニ）また、平面図だけではわかりにくい逃げの確認や１階と２回の柱の位置の確認も容易に行える。（ホ）また、外壁と内壁の平米数（面積）の確認も容易に行える。（へ）さらに、真上から写真撮影し、それをコピーすれば、大工工務店の手板として利用できる。
【００２９】
また、請求項２の発明によれば、模擬横架材および／または模擬縦材が所定寸法とされかつ任意の箇所で切断可能に形成されているので、少品種生産となり製造が一段と容易となる。また、保管管理が一段と容易となる。また、本用具を使用する者にとっても一段と使い勝手がよくなる。
【図面の簡単な説明】
【図１】本発明の実施形態を説明するための図である。
【図２】模擬横架材を示す斜視図である。
【図３】模擬縦材を示す斜視図である。
【図４】第１の接続部材を説明するための図である。
【図５】第４の接続部材を説明するための図である。
【図６】第２，第３の接続部材を説明するための図である。
【図７】完成した木材骨組を示す図である。
【図８】木造住宅の参考平面図である。
【符号の説明】
１０　模擬横架材
１１　第１の凹条部
１２　第２の凹条部
１３　穴
２０　模擬縦材
２１　凹条部
２３　穴
３０　第１の接続部材
３１　第１の接続凸部
３２　引っ掛け部
３３　本体
４０　第２の接続部材（第２の接続部材）
４１　接続用凸部
４３　本体
５０　第４の接続部材
５１　第１接続凸部
５２　第２接続凸部
５３　本体
【図１】
2004117914.tif 000003
【図２】
2004117914.tif 000004
【図３】
2004117914.tif 000005
【図４】
2004117914.tif 000006
【図５】
2004117914.tif 000007
【図６】
2004117914.tif 000008
【図７】
2004117914.tif 000009
【図８】
2004117914.tif 000010
【手続補正書】
【提出日】平成14年9月26日(2002.9.26)
【手続補正１】
【補正対象書類名】明細書
【補正対象項目名】特許請求の範囲
【補正方法】変更
【補正の内容】
【特許請求の範囲】
【請求項１】
木造住宅の建築に使用される横架材と縦材とを模擬的に表しかつ同一割合で縮小された模擬横架材および模擬縦材と、模擬横架材同志を直角に接続する第１の接続部材と、模擬横架材同志を同一軸線上に接続する第２の接続部材と、模擬縦材同志を同一軸線上に接続する第３の接続部材と、模擬横架材と模擬縦材とを直角に接続する第４の接続部材と、を備えたことを特徴とする木拾い支援用具。
【請求項２】
前記模擬横架材および／または前記模擬縦材が所定寸法とされかつ任意の箇所で切断可能に形成された請求項１記載の木拾い支援用具。